(57)【特許請求の範囲】
【請求項１】
内側面に係止部片（３２）をそれぞれ有して拡径可能な複数の可動爪片（３１）を有し、後部に綱体（４５）の一端を連結する孔部（２３）を有した筒部（２１）の先端に可動軸（２５）を挿通し、該可動軸の周囲に配したリング（２７）に、前記可動軸（２５）の周面に前端を固着して放射方向に配した複数の取付片（２８）の後部を支持し、複数の取付片（２８）と可動爪片（３１）とを夫々固着し、前記可動軸（２５）の後退により該可動爪片（３１）の後部を開放して拡径させて、移動体の構造物に係止する掛止部（２０）と、
この掛止部（２０）の後端に一端を連結したロープやピアノ線などからなる綱体（４５）と、
先端に前記綱体（４５）の他端を連結する止部（４１）を設けて全体を砲弾状に形成し、後端周面には錘体を水中において大きく旋回させるため全体にひねり角度を設けて半径方向に可動する旋回羽根（４３）を有した錘体（４０）とからなり、
前記掛止部（２０）と綱体（４５）を収容する、先端が略円錐状で連続して円筒状をした砲弾の頭部カバー（１１）と、前記錘体（４０）を収容する砲弾の後部カバー（１５）とを連結させて、砲弾と、該砲弾に推進力を発生させるために一体又は別体に設けた装薬と、前記砲弾および装薬を収容して該装薬の爆発により砲弾を発射させることを特徴とする船舶等の移動体強制停止装置。
【請求項２】
前記移動体が、ヘリコプターであることを特徴とする請求項１記載の船舶等の移動体強制停止装置。
【発明の詳細な説明】
【０００１】
【発明の属する技術分野】
本発明は、船舶やヘリコプターなど、回転翼により推進する移動体を武器を使用することなく強制的に停止させる装置に関する。
【０００２】
【従来の技術】
従来、船舶の推進手段として一般にスクリューが使用されている。わが国は四方を海に囲まれており領海内をに侵入する不審船が多い。海上保安庁の巡視艇や自衛隊の護衛艦などにより発見した不審船に対しては、停船命令を発して停船させて検問を行っている。しかし、停船命令に従わずに逃走する不審船に対しては、追跡して不審船を停止させる必要があり、その場合には、不審船に接近して係官が飛び移ってエンジンを止めて停船させたり、または、必要に応じて威嚇射撃を行って停船させている。
【０００３】
最近の不審船は高出力のエンジンを搭載していることから、不審船を発見してもなかなか追いつけず、ましてや係員が相手の船に飛び移って船のエンジンを停止させて、船舶を停止させるということは困難で危険を伴う。また、威嚇射撃を行うと、先方に武器使用の根拠を与えて相手方が発砲するおそれがあり、大変危険である。
【０００４】
【発明が解決しようとする課題】
前記したように、領海に侵入した不審な高速船を武器を用いることなく停船させるため、追跡しても不審船の速度が速いためなかなか追いつけず、また、不審船に接近しても不審船への飛び移りは困難であって非常に危険性が高い。その上、威嚇射撃を行うと相手方に発砲の根拠を与えてしまい、国際問題となる可能性があり簡単には武器を使用することができないなどの問題点を有している。
【０００５】
本発明は、推進力として利用する回転翼、例えばスクリューを有する船舶などの移動体を、武器を使用することなく、該スクリューの回転を停止させることにより、移動体を強制的に停止させることを課題とするものである。
【０００６】
【課題を解決するための手段】
本発明は、内側面に係止部片３２をそれぞれ有して拡径可能な複数の可動爪片３１を有し、後部に綱体の一端を連結する孔部２３を有した筒部２１の先端に可動軸２５を挿通し、該可動軸の周囲に配したリング２７に、前記可動軸２５の周面に周面に前端を固着して放射方向に配した複数の取付片２８の後部を支持し、複数の取付片２８と可動爪片３１とを夫々固着し、前記可動軸２５の後退により該可動爪片３１の後部を開放して拡径させて、移動体の構造物に係止する掛止部２０と、この掛止部２０の後端に一端を連結したロープやピアノ線などからなる綱体４５と、先端に前記綱体４５の他端を連結する止部４１を設けて全体を砲弾状に形成し、後端周面には錘体を水中において大きく旋回させるため全体にひねり角度を設けて半径方向に可動する旋回羽根４３を有した錘体４０とからなり、前記掛止部２０と綱体４５を収容する、先端が略円錐状で連続して円筒状をした砲弾の頭部カバー１１と、前記錘体４０を収容する砲弾の後部カバー１５とを連結させて、砲弾と、該砲弾に推進力を発生させるために一体又は別体に設けた装薬と、前記砲弾および装薬を収容して該装薬の爆発により砲弾を発射させることを特徴とする。
【０００７】
【０００８】
【０００９】
また、前記移動体が、ヘリコプターであることを特徴とする。
【００１０】
そのため、綱体を船舶のスクリューに絡ませて回転を停止させることにより、確実に船舶などの移動体を停止させるものである。
【００１１】
【発明の実施の形態】
本発明の実施の形態を図面に基づいて説明すると、砲弾１０は先端が略円錐状であり、連続して円筒状をした頭部カバー１１内に、複数本の掛止部２０を開閉可能に収容し、この掛止部２０に設けた筒部２１の後端に綱体４５の一端を連結してある。この綱体の他端には錘体４０を連結し、頭部カバー１１の後端には、同じく円筒状であって底部を設けた後部カバー１５を連結して砲弾１０を形成してある。
【００１２】
掛止部２０の中央に位置した筒部２１の上端周面に係合凹部２２を形成し、該筒部の下部には、前記綱体４５の一端を連結する孔部２３を設けてある。この筒部２１の上部内側に、可動軸２５を上下動可能に挿通し、該可動軸の後部周面に、前記筒部２１の係止凹部２２と嵌合する突起２６を設けてある。
【００１３】
可動軸２５の周囲に配したリング２７に、前記可動軸２５の周面に前端を固着して放射方向に配した複数の取付片２８の後部を支持し、該リング２７には複数の可動爪片３１を枢動可能に取付けてあり、各可動爪片３１と取付片２８とをそれぞれ固着させてある。
【００１４】
この可動爪片３１が、頭部カバー１１内に収容されている場合には、中心方向に閉じられている。しかし、頭部カバー１１が外れて可動軸２５を後退させると、突起２６が筒部２１の係止凹部２２に嵌合すると同時に、可動爪片３１の後部は周方向に拡径する。各可動爪片３１の内側には略ノコギリ歯状に形成した係止部片３２を設け、該可動爪片の後部が周方向に拡径するため、船体に設けてある構造物（図示せず）に係止した後、滑って外れることはない。
【００１５】
３５は前記頭部カバー１１の内側頂部に設けた支持筒で、該支持筒３５を前記可動軸２５の上端に嵌合させてある。３６は前記頭部カバー１１と筒部２１とを放射方向に固定する複数の支持片で、該支持片の一端を筒部２１の下部周面に固定し、他端を頭部カバー１１の内周面に固定して前記支持筒３５と共に、飛行中の頭部カバー１１と掛止部２０とが不安定になるのを防止し、目標物に対し正確に飛行させるようにしてある。
【００１６】
錘体４０は、水中での抵抗を少なくするため円錐形に形成し、且つ、該錘体の前端には前記綱体４５の一端を連結する止部４１を設けてある。この錘体の下部周面に係止ピン４２で旋回羽根４３を取付ける。この旋回羽根４３は、錘体４０が後部カバー１５の凹部１６内に収容されている場合、邪魔にならないように錘体４０の長手方向と並行に位置してあり、該錘体４０が後部カバー１５から離脱すると、水の抵抗により旋回羽根４３が直角方向に開く。
【００１７】
旋回羽根４３は、全面にひねり角度を設けてあるため、錘体４０が綱体４５に連結して海中を船舶に引っ張られると、水の抵抗力により錘体４０を大きく旋回させながら船の中心後部側に位置するスクリューの回転により生ずる旋回波によってスクリュー側に引き寄せられる。
【００１８】
錘体４０に取付ける旋回羽根４３は、必要に応じて右回転する羽根と左回転する羽根とがあるが、該旋回羽根は右回転であろうと左回転であろうとスクリューにより生ずる渦波により該スクリュー部分に吸い寄せられ、網体４５が船底のスクリュー５８に絡みついて、スクリューの回転を停止させるものである。
【００１９】
次に、本装置の一連の動作について説明すると、図６に示すごとく、不審船を追跡する船舶、例えば巡視艇５０に移動体強制停止装置５１が装備されている。警備中に不審船５５を発見した場合、停船命令に従わずに逃走する不審船５５に対して追跡しながら一定距離で不審船５５に向けて、移動体強制停止装置５１に装薬（図示せず）と共に装填した砲弾１０を発射すると、該砲弾は船体に衝突してから頭部カバー１１と後部カバー１５を分離させるように構成してもよいし、また、一定距離を飛んだ後、頭部カバー１１と後部カバー１５との接合部分の内側に仕込んだ分離用の炸薬を爆発させて自動的に分離させるようにしてもよい。
【００２０】
砲弾１０は、目標物である不審船５５の甲板５６に落下すると、落下時の衝撃で頭部カバー１１の先端が甲板５６に当った衝撃で可動軸２５は筒体２１内に後退し、突起２６が筒体２１の係合凹部２２に嵌合すると同時に、可動爪片３１の後部が拡径して甲板５６上の構造物(図示せず)に掛止する。可動軸２５の突起２６が筒体２１の係止凹部２２に嵌合して可動軸２５が固定されるため、可動爪片３１の拡径状態を維持することができる。
【００２１】
この掛止部２０の掛止力は、不審船５５の走行速度と海中に落下した錘体４０の水圧抵抗に比例し、不審船５５が走行している限り、掛止した掛止部２０を人力で外すことは極めて困難である。
【００２２】
一方、分離した後部カバー１５内に収容した錘体４０は、掛止部２０に連結している綱体４５に引っ張られて水中を引き回される。さらに錘体４０に取付けた旋回羽根４３は、綱体４５と共に走行する不審船５５の水の抵抗により大きく旋回する。この旋回羽根４３は、全体にひねりを入れて形成してあるため綱体の後部に連結した錘体４０を大きく旋回させながらスクリュー方向に接近する。
【００２３】
錘体４０の誘導は前記したように旋回羽根４３の回転によって行われ、図７に示すごとく、右回転する錘体４０の場合は、不審船５５の左舷側に掛止部２０を打ち込み、左回転する錘体の場合は、右舷側に掛止部２０を夫々打ち込むことにより、不審船５５がたとえジグザグ走行しても、綱体４５は互いに船底のスクリュー５８付近に接近する。
【００２４】
スクリュー５８付近に移動した綱体４５は、スクリュー５８の回転渦に巻き込まれ、図８に示すごとく、スクリュー軸５７やスクリュー５８に絡みつく。スクリュー軸５７に絡みついた綱体４５はスクリュー軸５７に巻回してスクリューの回転を止めて不審船を停船させる。
【００２５】
低空で飛来するヘリコプター６０の進行方向直前に綱体４５が略上下方向に張られるとローター６１の回転軸に綱体４５が巻込まれて絡み付いてローター６１の回転を止め、それ以上の飛行を停止させる。
【００２６】
前記した掛止部２０と錘体４０を連結する綱体４５の長さは、夫々用途により相違し、船舶のスクリューまたはヘリコプターのローターに絡みつかせるに十分な長さ（例えば約２０〜５０ｍ）である。なお、綱体４５は、通常のロープの他に、ワイヤーロープ、ピアノ線などを用いることも可能である。
【００２７】
さらに、本実施の形態の移動体強制停止装置は、設置型のため、ある程度大型であるので遠方まで発射させることが可能なため、発射方向の変更などの操作性はわるい。そのため、小型化して小銃型にすれば発射方向を自由に変えることができ、複数の本装置を同時又は時間をおいて発射させることができるため、停船効果を高めることができる。
【００２８】
【発明の効果】
本発明は、武器を使用することなく、移動体のスクリューの回転を停止させることができるので、安全に停止させることが出来る。
【００２９】
綱体にピアノ線を用いれば重量が軽いため、砲弾の飛距離を伸ばすことができるし、該綱体は強度を有するので切れることがなく、確実に停止させることができる。
【００３０】
移動体である船舶は、停止すれば水面上に漂うことになり、沈没などの危険はなく安全に停止させることができる。
【００３１】
さらに、他の目標物、例えば、ヘリコプターの場合、飛来する進行方向の前面に砲弾を発射させて空中で掛止部と錘体とに分離させ、掛止部に連結した綱体を上下方向に張ることにより、ヘリコプターのローターに絡ませて回転を停止させることができる。したがって、安価で簡単な移動体の停止装置で捕獲することができる。
【図面の簡単な説明】
【図１】  本発明の実施の形態を示す砲弾の縦断面図である。
【図２】  図１のＡ―Ａ線断面図である。
【図３】  掛止部の可動爪片を開放した状態の一部省略した側面図である。
【図４】  錘体の旋回羽根を開いた状態の平面図である。
【図５】  本強制停止装置の要部断面図である。
【図６】  砲弾を船に向けて発射した状態を示す説明図である。
【図７】  掛止部が不審船の船体に掛止してスクリューに巻回した状態の説明図である。
【図８】  綱体がスクリューシャフトに絡まった状態を示す説明図である。
【図９】  砲弾をヘリコプターに向けて発射した状態を示す説明図である。
【符号の説明】
１０    砲弾
１１    頭部カバー
１５    後部カバー
２０    掛止部
２１    筒部
２３    孔部
２５    可動軸
２７    リング
２８    取付片
３１    可動爪片
３２    係止部片
４０    錘体
４１    止部
４３    旋回羽根
４５    綱体
５１    移動体強制停止装置
５５    不審船
６０    ヘリコプター
【図１】
0003656022.tif 000002
【図２】
0003656022.tif 000003
【図３】
0003656022.tif 000004
【図４】
0003656022.tif 000005
【図５】
0003656022.tif 000006
【図６】
0003656022.tif 000007
【図７】
0003656022.tif 000008
【図８】
0003656022.tif 000009
【図９】
0003656022.tif 000010